【事件の表示】
　平成　９年特許願第　　９４１４号「易開封性容器」拒絶査定不服審判事件〔平成１０年　８月　４日出願公開、特開平１０−２０２８１０、請求項の数（５）〕について、次のとおり審決する。
【結　論】
　本件審判の請求は、成り立たない。
【理　由】
１．手続の経緯
　本願は、平成　９年　１月２２日の出願であって、平成１４年１０月　２日付けで手続補正がされ、平成１４年１０月２３日付けで拒絶査定がされ、これに対し、同年１１月２８日に拒絶査定に対する審判請求がされ、その後、同年１２月２０日付けで手続補正がされたものである。
　
２．平成１４年１２月２０日付けの手続補正についての補正却下の決定
　
［補正却下の決定］
　
　平成１４年１２月２０日付けの手続補正を却下する。
　
［理由］
（１）本件手続補正書により補正された本願発明
  本件補正により、特許請求の範囲の請求項１は、次のとおりに補正された。
　「基材層及びヒートシール層からなる積層体からなり、該積層体のヒートシール層同志が接合されることにより形成された容器であって、該ヒートシール層が
低密度ポリエチレン
低密度ポリエチレン
低密度ポリエチレン
　本件補正は、本件補正前の請求項１に記載された発明を特定するために必要とする事項である「オレフィン系重合体」について、これを「低密度ポリエチレン」と下位のものに限定するものであって、特許法第１７条の２第４項第２号で規定する特許請求の範囲の減縮を目的とするものに該当する。
　そこで、本件補正後の上記請求項１に係る発明（以下、「本願補正発明」という）が、特許出願の際、独立して特許を受けることができるものであるか（特許法第１７条の２第５項において準用する特許法第１２６号第４項の規定に適合するか）について、以下、検討する。
　
（２）引用例の記載事項
　この出願前に頒布された刊行物である特公平１−４２９６７号公報（以下、「引用例１」という）には、図面とともに、次のとおり記載されていると認められる。
　ａ．「オレフイン重合体樹脂またはスチレン系樹脂を主成分とする材料から構成され、かつ剥離容易な開封部を有する充填用密封容器であつて、該開封部の封着部分に下記の方法で得られる改質樹脂を用いることを特徴とする易剥離性の充填用密封容器。
　〔改質樹脂の製造法〕
  エチレン重合体樹脂とプロピレン重合体樹脂との中から選ばれた少なくとも一種のオレフイン重合体樹脂粒子４０〜９５重量％と芳香族ビニル単量体６０〜５重量％および重合開始剤とを含む水性懸濁液中で、このビニル単量体の少なくとも８０重量％を該樹脂粒子中に含浸させ、ついでこの単量体を重合させて得られる芳香族ビニル単量体含量６０〜５重量％の改質樹脂、またはこれを未改質オレフイン重合体で希釈して芳香族ビニル単量体含量を６０未満〜５重量％とした改質樹脂を得る。」（特許請求の範囲）
　ｂ．「ＰＰ同志、ＰＥ同志またはＰＳ同志を封着した場合は、封着条件によつて完全に両界面が融着した完全付着の状態（剥離困難）か、あるいは封着は充分でなく実用性がない程度のきわめて弱い剥離強度しか有しない状態のどちらかしかとりえない。・・・
　本発明は上記の欠点を改良し、製品の製造および流通の過程で内容物を完全に保護するに十分な封着強度を有し、かつ内容物の取り出しにあたつては容器基材を破壊することなくその封着部を容易に剥離しえる密封容器を提供することを目的としてものであつて、・・・開封部の封着部分に下記の方法で得られる改質樹脂を用いることを特徴とする易剥離性の充填用密封容器である。」（第２頁第３欄８〜３０行）
　ｃ．「本発明に適用される包装容器の例としては、ＰＰ、ＰＥまたはＰＳを主成分とするフイルムが封着部の面に当たる様な積層フイルムより構成される袋を挙げることができる（図１）。
  あるいは、他の例としては、射出成形法や中空成形法や射出中空成形法などで得られる成形容器であつて、内容物の充填口をアルミニウム箔やポリエチレンテレフタレートの如きフイルムで覆つて封着したりあるいは封着部の面にＰＰ、ＰＥまたはＰＳを主成分とするフイルムが当たるような積層フイルムで封着したものを挙げることができる（図２）。」（第２頁第３欄４２行〜第４欄９行）
　ｄ．「本発明の改質オレフイン重合体は均一に分散されたビニル単量体からの重合体を内蔵するオレフイン重合体あるいはビニル単量体がオレフイン重合体幹にグラフトしたもの、あるいはこれらの混合物と推定され、ビニル単量体独自の重合体粒子がオレフイン重合体粒子と別個に存在するものでない。
  芳香族ビニル単量体改質オレフイン重合体の使用にあたつては、単量体単位が６０〜５重量％の範囲であれば、該改質オレフイン重合体に未改質オレフイン重合体を混合して用いてもよい。換言すれば、直接グラフト反応により得られた組成物のほかに、この直接的組成物と未改質のオレフイン重合体とからなり芳香族ビニル単量体単位の含有量が５〜６０重量％の範囲にある配合組成物も、本発明で言う「改質樹脂」に該当する。・・・低密度ポリエチレンをこの改質樹脂に４０重量％以下添加することができ、また、芳香族ビニル単量体単位の含有量調節の目的では、もっと多量の低密度ポリエチレン等で希釈することができる。」（第５頁第９欄２２〜４３行）
　ｅ．「また、本発明の封着材料である上記改質オレフイン重合体の使用方法は、容器の封着部または蓋体の封着部の少なくとも一方に用いられれば目的が達成される。しかも、封着部のみに用いればよいのであるが、一般には他材料との積層の形で用いられる。」（第５頁第１０欄２８〜３３行）
　ｆ．「実施例　３
　低密度ポリエチレン（・・・）粒子とスチレンを用いて実施例１に準拠した方法でスチレン改質低密度ポリエチレン（スチレンモノマー単位３０重量％）を得た。該樹脂の５０μフイルムと７μのアルミニウム箔の積層フイルムを作り、改質樹脂層を封着面とし、１００μの上記低密度ポリエチレンフイルムとの剥離強度を測定した。」（第７頁第１３欄２０〜２２行）
　ｇ．「実施例　５
　低密度ポリエチレン（・・・）粒子とスチレンを用いて実施例１に準拠した方法でスチレン改質低密度ポリエチレン（スチレンモノマー単位５０重量％）を得た。該改質樹脂と低密度ポリエチレン（・・・）を所定量ブレンドした後、約５０μのフィルムとした。」（第８頁第１５欄１０〜１６行）
　ｈ．「図１は積層フイルムより構成される袋、図２は成形容器を表わす。１ａ，１ｂは封着層（少なくとも一方が本発明封着材料であり、他方はＰＥ、ＰＰ、ＰＳを主成分とする材料でもよい。）、２ａ，２ｂの包装基材（どちらか一方は単層の場合もある）、３は封着部を表わす。」（第９頁、「図面の簡単な説明」）
　
（３）対比・判断
　引用例１には、上記摘示記載ａ．及びｂ．のとおり、「剥離容易な開封部を有する充填用密封容器」であって、「容器を密封熱封着する際、その封着部に存在させて熱封着し、後開封する際に容器基材を破壊することなく容易に剥離できる特定の改質樹脂を熱封着材料として封着部分に用いること」が、また、上記摘示記載ｃ．ｅ．及びｈ．並びに図面の記載からみて、適用される包装容器としてはシールパック容器、成形容器の形態のものであって、包装容器としてオレフイン重合体樹脂、スチレン系樹脂の単層又は、当該樹脂を包装基材に積層した容器を密封熱封着する際、少なくとも一方に特定の「熱封着材料」からなる「封着層」を積層し、「封着層」により熱封着（ヒートシール）させた容器が記載されている。
　また、上記「熱封着材料」として、上記摘示記載ａ．に記載の「改質樹脂」を用いることが記載され、前記「改質樹脂」としては、上記摘示記載ｄ．のとおり、グラフト重合体であって、具体的には、上記摘示記載ｆ．及びｇ．のとおり、低密度ポリエチレン粒子にスチレンを含浸させ、重合させたスチレン改質低密度ポリエチレン（スチレンモノマー単位３０重量％）、及びスチレン改質低密度ポリエチレン（スチレンモノマー単位５０重量％）と低密度ポリエチレンとのブレンド物が記載されている。
　したがって、引用例１には、
　「容器を密封熱封着する際、包装基材の封着部に熱封着材料を存在させて熱封着し、後開封する際に容器基材を破壊することなく容易に剥離できる充填用密封容器であって、包装容器としてオレフイン重合体樹脂、スチレン系樹脂を主成分とする材料を包装基材に積層し、該オレフイン重合体樹脂、スチレン系樹脂を主成分とする材料である下記改質樹脂を熱封着材料とし、該熱封着材料を少なくとも一方に封着層として用い、封着層により熱封着させた充填用密封容器。
　改質樹脂は、エチレン重合体樹脂とプロピレン重合体樹脂との中から選ばれた少なくとも一種のオレフイン重合体樹脂粒子４０〜９５重量％と芳香族ビニル単量体６０〜５重量％および重合開始剤とを含む水性懸濁液中で、このビニル単量体の少なくとも８０重量％を該樹脂粒子中に含浸させ、ついでこの単量体を重合させて得られる芳香族ビニル単量体含量６０〜５重量％の改質樹脂、またはこれを未改質オレフイン重合体で希釈して芳香族ビニル単量体含量を６０未満〜５重量％とした改質樹脂。」
の発明（以下、引用例１発明という。）が記載されている。
　ここで、本願補正発明（前者）と引用例１発明（後者）とを対比する。
　後者において「包装容器としてオレフイン重合体樹脂、スチレン系樹脂を主成分とする材料を包装基材に積層」し、熱封着材料を封着層とすることから、「包装基材」、「封着層」、「充填用密封容器」は、それぞれ、前者の「基材層」、「ヒートシール層」、「易開封性容器」に相当する。
　したがって、両者は、「基材層及びヒートシール層からなる積層体からなり、該積層体のヒートシール層により熱封着された易開封性容器」である点で一致し、下記の点で相違しているものと認められる。
　
　相違点：熱封着が、前者では、ヒートシール層同士で熱封着するもので、該ヒートシール層が「低密度ポリエチレン４５〜６５重量％とビニル単量体５５〜３５重量％をグラフト反応条件に付して得られる改質低密度ポリエチレンを含有し、低密度ポリエチレンへグラフトしているビニル単量体及びビニル単量体の単独重合体の含有量の合計量が全体の２０重量％以上である樹脂組成物により形成された層」であるのに対し、後者では、少なくとも一方のヒートシール層で熱封着されるもので、該ヒートシール層が「エチレン重合体樹脂とプロピレン重合体樹脂との中から選ばれた少なくとも一種のオレフイン重合体樹脂粒子４０〜９５重量％と芳香族ビニル単量体６０〜５重量％および重合開始剤とを含む水性懸濁液中で、このビニル単量体の少なくとも８０重量％を該樹脂粒子中に含浸させ、ついでこの単量体を重合させて得られる芳香族ビニル単量体含量６０〜５重量％の改質樹脂、またはこれを未改質オレフイン重合体で希釈して芳香族ビニル単量体含量を６０未満〜５重量％とした改質樹脂」である点。
　
　そこで、上記相違点について検討する。
　引用例１発明における熱封着材料として使用される「上記改質樹脂」は、摘示記載ｄ．に「改質オレフイン重合体は均一に分散されたビニル単量体からの重合体を内蔵するオレフイン重合体あるいはビニル単量体がオレフイン重合体幹にグラフトしたもの、あるいはこれらの混合物と推定され、ビニル単量体独自の重合体粒子がオレフイン重合体粒子と別個に存在するものでない。」との記載にあるように、改質ポリオレフィン重合体であって、オレフィン重合体幹にビニル単量体（芳香族ビニル単量体）がグラフト反応条件に付して得られたものであると解され、また、「均一に分散されたビニル単量体からの重合体を内蔵するオレフイン重合体」との記載から、ポリオレフィン重合体がビニル単量体（芳香族ビニル単量体）の単独重合体を含有するものと解される。さらに、「あるいはこれらの混合物と推定され」と記載されているところから、樹脂組成物としてビニル単量体（芳香族ビニル単量体）がグラフトした改質オレフィン重合体樹脂、ビニル単量体の単独重合体及びビニル単量体の単独重合体を内蔵するオレフイン重合体の混合物であると解される。
　そして、具体的な実施例においても、オレフイン重合体樹脂の例示として低密度ポリエチレン、ビニル単量体として芳香族ビニル単量体であるスチレン単量体が用いられている。
　してみると、上記した後者の改質樹脂として、低密度ポリエチレン４０〜９５重量％と芳香族ビニル単量体６０〜５重量％および重合開始剤とを含む水性懸濁液中で、グラフト反応条件に付して得られる改質低密度ポリエチレン又は改質低密度ポリエチレンを含有し、芳香族ビニル単量体が６０重量％未満〜５重量％含有したものが記載されているものと認められる。
　また、後者の「ビニル単量体を重合させて得られる又は未改質オレフィン重合体で希釈して芳香族ビニル単量体含量６０〜５重量％の改質樹脂」の「芳香族ビニル単量体含量が６０重量％未満〜５重量％」とは、改質樹脂全体に対する芳香族ビニル単量体含有量を意味するものといえることから、引用例１発明の実施例として記載された上記改質低密度ポリエチレンにおける「芳香族ビニル単量体含量」とは、低密度ポリエチレンにグラフトしているビニル単量体及びビニル単量体の単独重合体の含有量の合計量であると認められ、しかも、上記摘示記載ｆ．及びｇ．によれば、引用例１発明の実施例として「スチレン改質低密度ポリエチレン（スチレンモノマー単位３０重量％）」、「スチレン改質低密度ポリエチレン（スチレンモノマー単位５０重量％）」すなわち、芳香族ビニル単量体の含量が３０重量％、５０重量％のものが例示されていることから、本願補正発明のグラフトしているビニル単量体及びビニル単量体の単独重合体の含有量の合計量が全体の２０重量％以上である樹脂組成物についても実質的に記載されているものと認められる。
　したがって、後者の特定の改質樹脂と本願補正発明の改質低密度ポリエチレン樹脂組成物とは実質的に差異はなく、両者は熱封着材料である樹脂組成物の点において実質的な相違は認められない。
　また、引用例１発明は、上述した特定の改質樹脂からなる熱封着材料をヒートシール層に用いる包装容器であって、具体的な実施例は、ヒートシール層と包装基材とで熱封着させた包装容器であり、引用例１発明が本願補正発明のような上記特定の改質樹脂からなる熱封着材料をヒートシール層に用い、当該ヒートシール層同士を熱封着させた包装容器であることを直接記載するところはないが、引用例１には、後者の特定の改質樹脂を封着層として「少なくとも一方」に用いるとの記載があり、封着層同士で熱封着するものも包含する記載があるとともに、上記摘示記載ｈ．にあるように包装容器の図としてヒートシール層同士で封着されたものの例が示されていることから、引用例１発明においてもヒートシール層同士で熱封着することが想定されているものと認めることができるから、引用例１発明においてヒートシール層として同じ改質低密度ポリエチレン樹脂組成物の熱封着材料を用いてヒートシール層同士を熱封着させた包装容器とすることは当業者が容易になし得ることと認める。
　そして、両者は、開封に際し剥離が容易な易開封性容器であって、上記のとおり同じ成分組成を有する熱封着材料を用いた易開封性容器であるから、その目的及び作用・効果を奏するものであるといえる。
　したがって、本願補正発明は、引用例１発明に基づいて、当業者が容易に発明をすることができたものであるから、特許法第２９条第２項の規定により、特許出願の際、独立して特許を受けることができないものである。
　
（４）むすび
　以上のとおり、本件補正は、特許法１７条の２第５項において準用する特許法第１２６条第４項の規定に違反するものであるので、特許法第１５９条第１項において読み替えて準用する特許法第５３条第１項の規定により、却下されるべきものである。
　
３．本願発明について
　平成１４年１２月２０日付けの手続補正は、上記のとおり却下されるので、本願の請求項１に係る発明（以下、「本願発明」という）は、平成１４年１０月　２日付け手続補正書の特許請求の範囲の請求項１に記載された事項により特定される、以下のとおりのものである。
　「基材層及びヒートシール層からなる積層体からなり、該積層体のヒートシール層同志が接合されることにより形成された容器であって、該ヒートシール層がオレフィン系重合体４５〜６５重量％とビニル単量体５５〜３５重量％をグラフト反応条件に付して得られる改質オレフィン系重合体を含有し、オレフィン系重合体へグラフトしているビニル単量体及びビニル単量体の単独重合体の含有量の合計量が全体の２０重量％以上である樹脂組成物により形成された層であることを特徴とする易開封性容器。」
　
４．引用文献の記載事項
　原査定の拒絶の理由に引用された引用文献１（特開昭５６−８８４８１号公報）（以下、「引用例２」という。）には、図面とともに、次のとおり記載されていると認められる。
　イ．「オレフイン重合体またはスチレン系樹脂を主成分とする材料から構成された密封熱封着部を有する包装容器の剥離容易な密封熱封着部に用いる封着材料であつて、オレフイン重合体４０〜９５重量％と芳香族ビニル単量体６０〜５重量％をグラフト条件に付して得られる改質樹脂を主成分とする材料であることを特徴とする易剥離性の熱封着材料。」（特許請求の範囲）
　ロ．「本発明は、オレフイン重合体またはスチレン系樹脂（以下ＰＳと記載する）を主成分とする材料（複数種類の樹脂をブレンドする場合もある）の単層ないし積層の容器を密封熱封着する際、その封着部に存在させて熱封着し、後開封する際に容器基材を破壊することなく容易に剥離できる熱封着材料に関する。」（第１頁左下欄１４〜２０行）
　ハ．「本発明は・・・充分な封着強度を有し、かつ内容物の取り出しにあたつては容器基材を破壊することなくその封着部を容易に剥離しえる密封容器を提供することを目的としたものであつて」（第２頁左上欄９〜１３行）
　ニ．「本発明に適用される包装容器の例としては、ＰＰ、ＰＥまたはＰＳを主成分とするフイルムが封着部の面に当たる様な積層フイルムより構成される袋を挙げることができる（図１）。
  あるいは、他の例としては、射出成形法や中空成形法や射出中空成形法などで得られる成形容器であつて、内容物の充填口をアルミニウム箔やポリエチレンテレフタレートの如きフイルムで覆つて封着したりあるいは封着部の面にＰＰ、ＰＥまたはＰＳを主成分とするフイルムが当たるような積層フイルムで封着したものを挙げることができる（図２）。」（第２頁右上欄２〜１３行）
　ホ．「本発明における芳香族ビニル単量体のオレフイン重合体の改質には、押出機等での溶融グラフトや、・・・溶液中でのグラフト等一般的な改質手法が用いられているが、例えば以下の手法を挙げることができる。
　即ち、オレフイン重合体粒子（・・・）４０〜９５重量％と芳香族ビニル単量体５〜６０重量％および重合開始剤とを含む水性懸濁液中で、このビニル単量体の少なくとも８０重量％をこのポリマー粒子中に含浸させ、ついでこの単量体を重合させることによつて改質オレフイン重合体が得られる。」（第３頁右上欄８〜２０行）
　ヘ．「本発明の改質オレフイン重合体は均一に分散されたビニル単量体からの重合体を内蔵するオレフイン重合体あるいはビニル単量体がオレフイン重合体幹にグラフトしたもの、あるいはこれらの混合物と推定され、ビニル単量体独自の重合体粒子がオレフイン重合体粒子と別個に存在するものでない。
　芳香族ビニル単量体改質オレフイン重合体の使用にあたつては、単量体単位が６０〜５重量％の範囲であれば、該改質オレフイン重合体に未改質オレフイン重合体を混合して用いてもよい。」（第４頁右下欄１９行〜第５頁左上欄９行）
　ト．「また、本発明の封着材料である上記改質オレフイン重合体の使用方法は、容器の封着部または蓋体の封着部の少なくとも一方に用いられれば目的が達成される。しかも、封着部のみに用いればよいのであるが、一般には他材料との積層の形で用いられる。」（第５頁左下欄３〜８行）
　チ−１．「実施例 １
　・・・水性媒質となし、これにエチレン−酢酸ビニル共重合体（・・・酢酸ビニル含量１６重量％粒子５Kgを攪拌により懸濁させた。別に重合開始剤として過酸化ベンゾイル１０ｇ及びｔ−ブチルパーオキシベンゾエート５ｇをスチレン５Kgに溶解させ、これを前記懸濁系に投入し、オートクレーブ内温度を６５℃に昇温させ該温度で３時間保持して重合開始剤を含むスチレンをエチレン−酢酸ビニル共重合体粒子中に含浸させた。
　この水性懸濁液を８０℃に昇温し・・・重合を完結させた。得られた改質粒子中にはポリスチレンがほぼ定量的に５０重量％存在することが確認された。
　該改質樹脂及び該改質樹脂と上記エチレン−酢酸ビニル共重合体を所定量ブレンドしたものを、・・・約５０μのフイルムとした。これらのフイルムと７μ厚のアルミニウム箔とを接着剤を用いて貼合わせ積層フイルムとした。この積層フイルムの改質樹脂層を封着面とし、１００μの低密度ポリエチレン（・・・）フイルムをヒートシーラーで加熱封着後、その封着部の剥離強度を測定した。結果を表１に示す。」（第６頁左上欄３行〜同頁右上欄１２行）
　チ−２．「表１」（第６頁）には、実施例１の「封着部の材料構成」として、「Ａ面」の欄に「改質ＥＶＡ（スチレン単位５０重量％）」及び「−」、また、「Ｂ面」の欄に「ＬＤＰＥ」
　続いて、「Ａ面」の欄に「改質ＥＶＡ５０％」及び「ＥＶＡ５０％」、また、「Ｂ面」の欄に「ＬＤＰＥ」と記載されている。
　リ．「実施例　３
　低密度ポリエチレン（・・・）粒子とスチレンを用いて実施例１に準拠した方法でスチレン改質低密度ポリエチレン（スチレンモノマー単位３０重量％）を得た。該樹脂の５０μフイルムと７μのアルミニウム箔の積層フイルムを作り、改質樹脂層を封着面とし、１００μの上記低密度ポリエチレンフイルムとの剥離強度を測定した。」（第７頁左上欄下から２行〜同頁右上欄７行）
　ヌ．「図１は積層フイルムより構成される袋、図２は成形容器を表わす。１ａ，１ｂは封着層（少なくとも一方が本発明封着材料であり、他方はＰＥ、ＰＰ、ＰＳを主成分とする材料でもよい。）、２ａ，２ｂの包装基材（どちらか一方は単層の場合もある）、３は封着部を表わす。」（第７頁右下欄「図面の簡単な説明」）
　
５．対比・判断
　引用例２には、上記摘示記載イ．ないしハ．のとおり、「容易に剥離しえる包装容器」であって、「容器を密封熱封着する際、その封着部に存在させて熱封着し、後開封する際に容器基材を破壊することなく容易に剥離できる特定の改質樹脂を熱封着材料として封着部分に用いること」が、また、上記摘示記載ニ．ト．及びヌ．並びに図面の記載からみて、適用される包装容器としてはシールパック容器、成形容器の形態のものであって、上記摘示記載ト．のとおり、「本発明の封着材料である上記改質オレフイン重合体の使用方法は、容器の封着部または蓋体の封着部の少なくとも一方に用いられれば目的が達成される」とされ、包装容器としてオレフイン重合体樹脂、スチレン系樹脂の単層又は、当該樹脂を他材料に積層したものから形成された容器を密封熱封着する際、少なくとも一方に特定の「熱封着材料」からなる「封着層」を用い、「封着層」により熱封着（ヒートシール）させた包装容器が記載されている。
　また、上記「熱封着材料」として、上記摘示記載イ．及びヘ．のとおり、芳香族ビニル単量体改質オレフイン重合体であって、オレフイン重合体４０〜９５重量％と芳香族ビニル単量体６０〜５重量％とをグラフト条件に付して得られたものを主成分とする材料を用いること、芳香族ビニル単量体改質オレフイン重合体の使用にあたつては、単量体単位が６０〜５重量％の範囲であれば、該改質オレフイン重合体に未改質オレフイン重合体を混合して用いてよいことが記載されている。
　したがって、引用例２には、
　「容器を密封熱封着する際、包装容器の封着部に熱封着材料を存在させて熱封着し、後開封する際に容器基材を破壊することなく容易に剥離しえる包装容器であって、包装容器として、オレフイン重合体樹脂、スチレン系樹脂を主成分とする材料（複数種類の樹脂をブレンドする場合もある）の単層又は該材料が内側にくるように他材料に積層したものを用い、下記の特定の改質樹脂を熱封着材料とし、当該熱封着材料を少なくとも一方に封着層として用い、封着層により熱封着させた容易に剥離しえる包装容器。
　特定の改質樹脂は、エチレン重合体樹脂とプロピレン重合体樹脂との中から選ばれた少なくとも一種のオレフイン重合体樹脂粒子４０〜９５重量％と芳香族ビニル単量体６０〜５重量％とをグラフト条件に付して得られる芳香族ビニル単量体含量６０〜５重量％の改質樹脂、またはこれを未改質オレフイン重合体で希釈して芳香族ビニル単量体含量を６０未満〜５重量％とした改質樹脂。」の発明（以下、引用例２発明という。）が記載されているものと認められる。
　ここで、本願発明（前者）と引用例２に記載の発明（後者）とを対比する。
　引用例２に記載の「包装容器としてオレフイン重合体樹脂、スチレン系樹脂を主成分とする材料（複数種類の樹脂をブレンドする場合もある）の単層又は該樹脂が内側にくるように他材料に積層されたもの」は包装容器を構成するもので、熱封着材料を封着層とすることから、後者の「他材料」の層は前者の「基材層」に、後者の「封着層」、「容易に剥離しえる包装容器」は、それぞれ、前者の「ヒートシール層」、「易開封性容器」に相当することから、両者は、「基材層及びヒートシール層からなる積層体からなり、該積層体のヒートシール層により熱封着された易開封性容器」である点で一致し、下記の点で相違しているものと認められる。
　相違点：熱封着が、前者では、ヒートシール層同士で熱封着するもので、該ヒートシール層が「オレフィン系重合体４５〜６５重量％とビニル単量体５５〜３５重量％をグラフト反応条件に付して得られる改質オレフィン系重合体を含有し、オレフィン系重合体へグラフトしているビニル単量体及びビニル単量体の単独重合体の含有量の合計量が全体の２０重量％以上である樹脂組成物により形成された層」であるのに対し、後者では、少なくとも一方のヒートシール層で熱封着されるもので、該ヒートシール層が「エチレン重合体樹脂とプロピレン重合体樹脂との中から選ばれた少なくとも一種のオレフイン重合体樹脂粒子４０〜９５重量％と芳香族ビニル単量体６０〜５重量％とをグラフト条件に付して得られる芳香族ビニル単量体含量６０〜５重量％の改質樹脂、またはこれを未改質オレフイン重合体で希釈して芳香族ビニル単量体含量を６０未満〜５重量％とした改質樹脂」である点。
　そこで、上記相違点について検討する。
　後者の熱封着材料は、「オレフイン重合体樹脂粒子４０〜９５重量％」と「芳香族ビニル単量体６０〜５重量％」とをグラフト条件に付して得られる芳香族ビニル単量体含量６０〜５重量％の芳香族ビニル単量体改質ポリオレフイン重合体であり、摘示記載ホ．に記載されているとおり、本願発明と同じように水性懸濁液中で含浸重合するもので、本願発明の「オレフィン系重合体４５〜６５重量％」、「ビニル単量体５５〜３５重量％」と重複する組成でグラフト条件に付して得られるものであるから、実質的に本願発明の改質オレフィン系重合体と同等のものが生成されているものと認められる。
　そして、摘示記載ヘ．によれば、「重合して形成された樹脂組成物は、均一に分散されたビニル単量体からの重合体を内蔵するオレフイン重合体あるいはビニル単量体がオレフイン重合体幹にグラフトしたもの、あるいはこれらの混合物と推定され、」との記載から、２．（３）において詳述したように、「芳香族ビニル単量体含有量を６０未満〜５重量％とした改質樹脂」との記載の「芳香族ビニル単量体含有量」とは、本願発明にいうオレフィン系重合体へグラフトしているビニル単量体及びビニル単量体の単独重合体の中のビニル単量体の含有量の合計量に相当するもの認められる。
　してみると、芳香族ビニル単量体含有量を６０未満〜５重量％とした改質樹脂とは、樹脂全体に含有されるオレフィン系重合体へグラフトしているビニル単量体及びビニル単量体の単独重合体中のビニル単量体の含有量（芳香族ビニル単量体の量）の合計量が６０未満〜５重量％である樹脂組成物を意味するものと認められる。
　しかも、上記摘示記載チ−１．、チ−２．及びリ．のとおり、引用例２発明の「実施例１」には、「酢酸ビニル含量１６重量％のエチレン−酢酸ビニル共重合体粒子」にスチレンを含浸させ、重合させて得られた「改質ＥＶＡ（スチレン単位５０重量％）」又は「改質ＥＶＡ（スチレン単位５０重量％）」５０％と「ＥＶＡ」５０％との樹脂組成物をフィルムとし、前記フィルム／アルミニウム箔／低密度ポリエチレンフィルムの層構造から成り、前記フィルムを封着面（即ち、ヒートシール層）とする積層体が記載されていると認められ、また、引用例２発明の「実施例３」には、「低密度ポリエチレン」粒子にスチレンを含浸させ、重合させて得られたスチレン改質低密度ポリエチレン（スチレンモノマー単位３０重量％）をフィルムとし、アルミニウム箔と積層し、改質樹脂層を封着面とする積層体が記載され、ここで「酢酸ビニル含量１６重量％のエチレン−酢酸ビニル共重合体」又は「低密度ポリエチレン」、「改質ＥＶＡ（スチレン単位５０重量％）」又は「スチレン改質低密度ポリエチレン（スチレンモノマー単位３０重量％）」は、それぞれ、前者に係る「オレフィン系重合体」、「オレフィン系重合体４５〜６５重量％とビニル単量体５５〜３５重量％をグラフト反応条件に付して得られるオレフィン系重合体」に相当し、熱封着材料である「改質ＥＶＡ（スチレン単位５０重量％）」、「改質ＥＶＡ（スチレン単位５０重量％）５０％とＥＶＡ５０％との樹脂組成物」及び「スチレン改質低密度ポリエチレン（スチレンモノマー単位３０重量％）」をフィルムとして封着面とした場合の何れの実施例においても、当該熱封着材料が、前者に係る「オレフィン系重合体へグラフトしているビニル単量体及びビニル単量体の単独重合体の含有量の合計量が全体の２０重量％以上である」との発明を特定するために必要とする事項を満足するものであるといえる。
　したがって、後者の特定の改質樹脂と本願発明の改質オレフィン系重合体樹脂組成物とは実質的に差異はなく、両者は熱封着材料である樹脂組成物の点において実質的な相違は認められない。
　また、引用例２発明は、上述した特定の改質樹脂からなる熱封着材料をヒートシール層に用いる包装容器であって、具体的な実施例は、ヒートシール層と包装基材とで熱封着させた包装容器であり、引用例２発明が本願発明のような上記特定の改質樹脂からなる熱封着材料をヒートシール層に用い、当該ヒートシール層同士を熱封着させた包装容器であることを直接記載するところはないが、引用例２には、後者の特定の改質樹脂を封着層として「少なくとも一方」に用いるとの記載があり、封着層同士で熱封着するものも包含する記載があるとともに、上記摘示記載ヌ．にあるように包装容器の図としてヒートシール層同士で封着されたものの例が示されていることから、引用例２発明においてもヒートシール層同士で熱封着することが想定されているものと認めることができるから、引用例２発明においてヒートシール層として同じ改質オレフィン系重合体樹脂組成物の熱封着材料を用いてヒートシール層同士を熱封着させた包装容器とすることは当業者が容易になし得ることと認める。
　そして、両者は、開封に際し剥離が容易な易開封性容器であって、上記のとおり同じ成分組成を有する熱封着材料を用いた易開封性容器であるから、その目的及び作用・効果を奏するものであるといえる。
　以上のことから、本願発明は、引用例２発明に基づいて、当業者が容易に発明をすることができたものである。
　
６．むすび
　以上のとおり、本願発明は、特許法第２９条第２項の規定により、特許を受けることができない。
　よって、結論のとおり審決する。